(57)【特許請求の範囲】
【請求項１】
踏み板部と蹴込み板部とが上下交互に連続する屋内用階段であって、
前記蹴込み板部には、前記踏み板部の上面に送風する吹出口が設けられており、該吹出口は、前記踏み板部と前記蹴込み板部との入隅部に沿って、スリット状に形成されていることを特徴とする屋内用階段。
【請求項２】
踏み板部と蹴込み板部とが上下交互に連続する屋内用階段であって、
前記蹴込み板部には、前記踏み板部の上面に送風する吹出口が設けられており、
前記踏み板部と前記蹴込み板部とが上下交互に連続する部分の側方には、側壁部を備えており、
前記側壁部に近い側ほど、前記吹出口から吹き出す風圧が強く設定されることを特徴とする屋内用階段。
【請求項３】
請求項２において、
前記吹出口が、前記踏み板部と前記蹴込み板部との入隅部に沿って、スリット状に形成されたことを特徴とする屋内用階段。
【請求項４】
請求項１〜３のいずれか１項において、
前記吹出口からの送風の強弱を切り替える風量切替部を備えていることを特徴とする屋内用階段。
【請求項５】
請求項１〜４のいずれか１項において、
前記吹出口が、前記蹴込み板部のそれぞれに設けられたことを特徴とする屋内用階段。
【請求項６】
請求項５において、
前記吹出口からの送風を上段から下段へ順に吹き出すことを特徴とする屋内用階段。
【請求項７】
請求項５または請求項６において、
前記踏み板部と前記蹴込み板部とが上下交互に連続する部分の下方空間には、前記吹出口のそれぞれと連通する連通空気経路が形成されていることを特徴とする屋内用階段。
【発明の詳細な説明】
【技術分野】
【０００１】
本発明は、屋内用階段に関する。
【背景技術】
【０００２】
従来より、階段の踏み板部（段板）や、踏み板部と蹴込み板部とで構成される入隅部等には、塵やホコリ等がたまり易いため、例えば下記特許文献１及び２に開示された構造とする階段が提案されている。
【０００３】
特許文献１には、踏み板部と蹴込み板部との入隅部に貫通孔が形成された階段が記載されており、これによれば、踏み板部にたまった塵等は、貫通孔内に掃きこむことにより、掃除をすることができるとされている。
特許文献２には、踏み板部および／または蹴込み板部の少なくとも一方の端部に空気吸引用開口部が設けられた階段が記載されており、これによれば、踏み板部や蹴込み板部近傍に浮遊するダストを吸引して除去することができるとされている。
【先行技術文献】
【特許文献】
【０００４】
【特許文献１】実開平３−５８２４号公報
【特許文献２】特開２０００−６５４１７号公報
【発明の概要】
【発明が解決しようとする課題】
【０００５】
しかしながら、近年の住居内の掃除は、自動化が進むとともに、塵やホコリ等がたまらないようにして掃除回数を減らすというコンセプトでの開発も進んでいる。
したがって、上記特許文献１及び２で開示されているような塵等がたまった後に、掃き掃除をしたり吸引するという従来の掃除の考え方からさらに進んだものが求められている。
【０００６】
本発明は、上記実情に鑑みてなされたものであり、塵やホコリ等がたまりにくい屋内用階段を提供することを目的としている。
【課題を解決するための手段】
【０００７】
上記目的を達成するために、第１の発明に係る屋内用階段は、踏み板部と蹴込み板部とが上下交互に連続する屋内用階段であって、前記蹴込み板部には、前記踏み板部の上面に送風する吹出口が設けられており、該吹出口は、前記踏み板部と前記蹴込み板部との入隅部に沿って、スリット状に形成されていることを特徴とする。
また、上記目的を達成するために、第２の発明に係る屋内用階段は、踏み板部と蹴込み板部とが上下交互に連続する屋内用階段であって、前記蹴込み板部には、前記踏み板部の上面に送風する吹出口が設けられており、前記踏み板部と前記蹴込み板部とが上下交互に連続する部分の側方には、側壁部を備えており、前記側壁部に近い側ほど、前記吹出口から吹き出す風圧が強く設定されることを特徴とする。
第１の発明においては、前記踏み板部と前記蹴込み板部とが上下交互に連続する部分の側方には、側壁部を備えており、前記側壁部に近い側ほど、前記吹出口から吹き出す風圧が強く設定されるようにしてもよい。
また、第１及び第２の発明においては、前記吹出口が、前記踏み板部と前記蹴込み板部との入隅部に沿って、スリット状に形成されるようにとしてもよい。
また、第１及び第２の発明においては、前記吹出口から吹き出す送風の強弱を切り替える風量切替部を備えているようにしてもよい。
さらに、第１及び第２の発明においては、前記吹出口が、前記蹴込み板部のそれぞれに設けられるようにしてもよい。この場合、前記吹出口からの送風を上段から下段へ順に吹き出すようにしてもよい。またこの場合、前記踏み板部と前記蹴込み板部とが上下交互に連続する部分の下方空間には、前記吹出口のそれぞれと連通する連通空気経路が形成されているようにしてもよい。
【発明の効果】
【０００８】
本発明に係る屋内用階段は、上述のような構成としたことで、塵やホコリ等がたまりにくい。
【図面の簡単な説明】
【０００９】
【図１】本発明の一実施形態に係る屋内用階段の一例を模式的に示した概略断面図である。
【図２】（ａ）は同屋内用階段を模式的に示した斜視図であり、（ｂ）は同屋内用階段に設けられた風量切替部の一例を説明するための概念図である。
【図３】（ａ）及び（ｂ）は、同屋内用階段の吹出口から吹き出す風圧を調整する整流部材を説明するための図であり、（ａ）は同屋内用階段の一部拡大断面図、（ｂ）は整流部材を模式的に示した概略平面図である。
【図４】同屋内用階段の整流部材の異なる一例を示す一部拡大断面図である。
【図５】（ａ）及び（ｂ）は、同屋内用階段の整流部材のさらに異なる一例を模式的に示した概略平面図である。
【図６】同屋内用階段を廻り階段に適用した一例を説明するために、廻り階段を模式的に示した概略平面図である。
【発明を実施するための形態】
【００１０】
以下に本発明の実施の形態について、図面に基づいて説明する。
本実施形態に係る屋内用階段１（以下、階段１という）は、踏み板部２と蹴込み板部３とが上下交互に連続する階段１であって、蹴込み板部３には、踏み板部２の上面２ａに送風する吹出口４が設けられている。
以下、詳しく説明する。
【００１１】
階段１は、高低差のある場所、例えば１階から２階への移動するための段形の通路として使用され、階段１の構成は特に限定されないが、図１では、その一例として７段の段数でストレート（いわゆる直階段）に構成された階段１を示している。
踏み板部２及び蹴込み板部３は、矩形状の板体で形成され、木質系基材からなるものとしてもよいし、金属材や合成樹脂材等からなるものとしてもよい。踏み板部２及び蹴込み板３が木質系基材からなる例としては、例えば合板やＭＤＦ（中密度繊維板）等を積層し、表面に化粧シートを貼り付けたものが挙げられる。また踏み板部２や蹴込み板部３の表面に塵等が付着しにくいように静電気が生じにくい材料を用いてもよいし、静電気を防止できる塗料を塗ってもよい。
【００１２】
踏み板部２は、踏み面（上面２ａ）に足の少なくとも一部が乗せられる奥行き寸法とされ、複数枚の踏み板部２は、略水平に且つ等間隔に勾配をつけて配置される。
蹴込み板部３は、踏み板部２と踏み板部２との間に略垂直に設置され、図１等に示すように蹴込み部分が設けられるように配置される。
図２（ａ）に示すように踏み板部２及び蹴込み板部３の側方には、側壁部６が設けられている。側壁部６は、壁面に沿って片側一方にのみ配されるようにしてもよいし、踏み板部２及び蹴込み板部３の両側方に設けられるようにしてもよい。
【００１３】
蹴込み板部３には、踏み板部２の上面２ａに送風する吹出口４が設けられている。
吹出口４の形状や形成位置、形成個数等は特に限定されず、例えば蹴込み板部３の一部を切り欠いて形成してもよいし、図１及び図２（ａ）に示すように、踏み板部２と蹴込み板部３との入隅部に沿って、横長のスリット状に形成されるようにしてもよい。
このように入隅部に沿って形成すれば、吹出口４からの送風を踏み板部２の上面２ａに沿って前方に吹き出すようにすることができる。
また吹出口４を図２（ａ）に示すように蹴込み板部３の端から端まで開口するように形成した場合は、踏み板部２、蹴込み板部３及び側壁部６で構成される角部が形成されず、送風を干渉するものがないので、吹出口４から踏み板部２の上面２ａ全面に風を送りやすい。よって、より一層塵等がたまりにくくすることができる。
【００１４】
また吹出口４は、例えば一段おきに設けるようにしてもよいし、蹴込み板部３のそれぞれに設けられるようにしてもよい。
図１に示すように吹出口４を蹴込み板部３のそれぞれに設けるようにすれば、すべての踏み板部２の上面２ａに風を送ることができる。
よって、例えば上段に配置された蹴込み板部３の吹出口４からの送風によって下段へ塵等が飛ばされてきても、下段に配置された蹴込み板部３にも吹出口４が設けられているので、塵等を踏み板部２の上面２ａにためてしまうことを防止できる。またこのように吹出口４を蹴込み板部３のそれぞれに設けられるようにすれば、吹出口４からの送風を上段から下段へ順に吹き出すような制御も行うことができる。
【００１５】
吹出口４から送風される空気の風速も特に限定されないが、例えば約１．０ｍ／ｓ程度の微風が送風されるようにしてもよい。また吹出口４から吹き出す風は、例えば図１に示すように送風装置１０を設置しこれを利用してもよいし、住居内全体を常時換気する２４時間換気システムによる給排気装置を利用してもよい。
住居内の空気に含まれる塵やホコリ等は、就寝後や外出後など人の動きがなく空気が流動しないと降り積もるようにたまってしまうが、以上によれば吹出口４からの送風によって空気の流れができることにより、踏み板部２に塵等をためにくくすることができる。よって、掃除回数を減らすことができ、階段１を清潔に維持することができる。
【００１６】
次に図１を参照しながら、階段１まわりを循環する空気で吹出口４からの送風を行う例について説明する。
図中、点線矢印は送風装置１０によって送風される空気の流れ、実線矢印は吸気装置１１によって吸い込まれる空気の流れを示しており、５は階段１の最下段の蹴込み板部３に設けられた吸気する吸込口である。吸込口５の形状は、特に限定されず、吸込口４と同様に形成することができる。吸込口５には、集塵フィルターを有するようにしてもよい。また、２４時間換気システムを構成し室内の空気を排気する排気口を吸込口５として用いてもよい。
踏み板部２と蹴込み板部３とが上下交互に連続する部分の下方空間には、階段１の傾斜に沿って、吹出口４のそれぞれに連通する連通空気経路９が形成されている。そして連通空気経路９のさらに下方空間には、吸込口５で吸気された空気を連通空気経路９の上方に設置された送風装置１０へ空気が通じる吸気経路８が形成されている。
【００１７】
送風装置１０から送風される空気は、点線矢印で示すように連通空気経路９から各吹出口４，４・・・へと通じ、そこから踏み板部２の上面２ａに送風される。そして最下段の蹴込み板部３に設けられた吸気口５から吸気装置１１によって空気を吸い込み、吸い込まれた空気は、吸気経路８を通じて再び送風装置１０に取り込まれ、これを繰り返す。
以上によれば、階段１まわりの空気を常時循環させることができるので、塵等がたまりにくく掃除回数を減らすことができる。
また送風装置１０による送風を常時行い、塵等がたまらないようにしてもよいし、階段１の近くに人感センサ（不図示）を設け、人の存在を感知したら、送風を弱めたり、送風を停止させるようにしてもよい。
さらに吹出口４から吹き出す空気の強弱を切り替えるようによいし、吹出口４からの送風を上段から下段へ順に吹き出すようにしてもよい。以下、具体例について説明する。
【００１８】
図２（ｂ）には、吹出口４から吹き出す送風の強弱を切り替える風量切替部の一例としてコンプレッサー２０を用いた場合の概念図を示している。ここでは、３段で構成された階段１に適用された例を説明するが、これに限定されないことはいうまでもない。
図２（ｂ）の配線切替弁２２の送風先として示された「１」、「２」、「３」は図２（ａ）に示した「１」、「２」、「３」と対応している。
コンプレッサー２０としては、エアガン方式のものを使用することができ、制御部２１と、配線切替弁２２と、スイッチ部２３とを備えている。コンプレッサー２０の設置場所は特に限定されないが、図１に示した連通空気経路９に設置するようにしてもよい。設置台数も限定されず、コンプレッサー２０の性能や階段１の段数によっては、複数台設置するようにしてもよい。
【００１９】
スイッチ部２３の構成は特に限定されないが、配線切替弁２２の切り替え操作やコンプレッサー２０のオンオフだけでなく風量の強弱を切り替え操作できる他、送風の順序の操作もできるようにしてもよい。また手動での操作に限定されず、例えば上述のように人感センサと連動させて自動でコンプレッサー２０を作動させるようにしてもよい。
コンプレッサー２０は風圧を制御でき、図例のものは、１段に対して２箇所から送風されるよう分岐されている。そして配線切替弁２２で送風の切り替えを行うことにより、例えば上段に配された「１」の段から下段に配された「３」の段へと順番に送風を行うようにすることもできる。また風量の強弱を切り替えることができる。
【００２０】
次に吹出口４から吹き出す送風の風圧、風量の制御の具体例について、図３〜図５を参照しながら説明する。なお、以下では上述の実施形態と共通する箇所の説明は省略し、主に異なる点について説明する。
図３〜図５には、吹出口４に整流部材７を装着し、この整流部材７によって吹出口４から吹き出される送風の風圧を側壁部６に近い側ほど、吹出口４の他の場所よりも強く吹き出すように設定した例を示している。なお、図３（ｂ）、図５（ａ）及び（ｂ）は、整流部材７の形状をわかりやすくするため、蹴込み板部３の図示を省略している。また図３（ｂ）、図５（ａ）及び（ｂ）に示した点線矢印は風向きを示すとともに、矢印が長いほど、風圧が強いことを示している。
【００２１】
まず図３（ａ）、（ｂ）に示す整流部材７は、塑性変形する鋼材やアルミニウム材等からなる薄状のプレート体で構成され、吹出口４の形状や大きさ等に応じて形成され、風圧を調整するフィンとして機能する。
具体的には、整流部材７は、横長の矩形状に形成された整流部材７の長手方向中央部位を蹴込み板部３側へ近づくようにたわませるとともに、整流部材７の上方両端角部を蹴込み板部３とは反対側にむけて折り曲げて設置する（図３（ｂ）参照）。
このように整流部材７を形成すると、吹出口４の側壁部６に近い側ほど、風が通る流路が大きく確保されるので、風圧を強めることができ、吹出口４の中央位置にむかうほど、風が通る流路が狭くなるので、側壁部６側と比べて風圧を弱めることができる。
踏み板部２の奥側には、開口した吹出口４から踏み板部２と蹴込み板部３の下方空間がみえないように立上壁２ｂが形成されており、整流部材７は、図３（ａ）に示すように、この立上壁２ｂの背面側に取り付けられる。立上壁２ｂの形状等は特に限定されないが、図３（ａ）に示すように吹出口４に向けて傾斜した傾斜面を有したものとすれば、スムーズに風を踏み板部２の前方に送ることができる。
【００２２】
図４、図５（ａ）及び（ｂ）に示す整流部材７は、吹出口４に嵌め入れて用いられるように構成している点（図４参照）で図３の例と異なるが、側壁部６に近い側ほど、吹出口４の他の場所よりも風が強く吹き出すように設定している点では共通している。
図５（ａ）に示す整流部材７は、横長矩形状の吹出口４の大きさ、形状に応じて形成されており、前後方向に貫通し等間隔に区画された複数の流通孔７１，７１・・・を備えている。風量を少なく設定する箇所には、流通孔７１の形状にあわせて形成された目詰め７０を装着し、風量を増やしたい箇所はそのまま流通孔７１，７１・・・を開状態とする。図５（ａ）の例では、側壁部６側の風量を増やしたいので、整流部材７の長手方向両端側の目詰め７０を少なくし、長手方向中央位置に向かうほど、複数の目詰め７０を流通孔７１に嵌め入れて、風量を少なくしている。
【００２３】
図５（ｂ）に示す整流部材７は、横長矩形状の吹出口４の大きさ、形状に応じて形成されており、前後に貫通し等間隔に区画された複数の流通孔７１，７１・・・を備えるとともに、平面視において略三角形状に形成されている。
このように流通孔７１，７１・・・の奥行き長さを変えることによって流通孔７１，７１・・・内を通じる風圧を変えることができる。この場合も、側壁部６側の風圧を強めたいので、整流部材７の長手方向両端側の奥行き長さを短くし、長手方向中央位置に向かうほど、風圧を弱めたいので、奥行き長さを長くしている。
なお、図５（ａ）及び（ｂ）では、流通孔７１，７１・・・が多数あるので、符号による図示を一部省略している。
【００２４】
図１に示すようなストレートに構成された階段１では、図２（ａ）に示すようにスリット状に吹出口４を形成すれば、一方向へ風を送ることができるので、風向を制御する必要はないが、側壁部６側は他の場所より塵等が積もりやすい。よって、図３〜図５に示すように、吹出口４から吹き出される送風の風圧を側壁部６に近い側ほど、吹出口４の他の場所よりも強く吹き出すように設定すれば、側壁部６側にたまろうとする塵等を他の場所より強い風圧で吹き飛ばすことができる。
【００２５】
次に図６には、本実施形態を廻り階段に適用した例を説明するための概略説明図を示している。
図中、１３は踊り場であり、廻り階段の場合、この踊り場１３にも階段が設けられている。また１４は仕切り壁、１５は踊り場１３の壁面を示している。
なお、蹴込み板部３に上述のような吹出口４（図４では不図示）が設けられている点は上述と同様である。
図６に示す階段１は、略Ｕ字状に方向を変えて構成された廻り階段であり、この場合、踏み板部２の奥行き寸法の違いや塵等がたまりやすい角部１３ａがあるため、吹出口４からの送風の風向きを制御する必要がる。そこで、角部１３ａに塵等がたまらないように角部１３ａを覆う誘導板１２を設けるようにしてもよい。
これによれば、吹出口４からの送風が誘導板１２によって誘導されるので、角部１３ａや側壁部６近傍に塵等をたまりにくくすることができる。
このとき、誘導板１２の下方に設けられた踏み板部２の下方空間に角部を覆うように反射板を設けてもよい。
これによれば、踏み板部２の下方空間を流通する空気を吹出口４へスムーズに送風することができる。
【００２６】
また廻り階段となっている蹴込み板部３に設けられた吹出口４にも、風圧、風量の制御する整流部材７を設けるようにしてもよい。
この場合の整流部材７は、踊り場１３の外周側（すなわち壁面１５側）に送風される風圧を強め、踊り場１３の内周側（すなわち仕切り壁１４側）にいくほどその風圧を弱めるように構成されているものが望ましい。よって例えば整流部材７を図３に示すようなフィンとする場合は、壁面１５側に配された整流部材７の上方角部を折り曲げて風が通る流路を大きく確保するようにする。また図５（ａ）に示すような整流部材７とする場合は、仕切り壁１４側にいくほど目詰め７０を多くする。さらに図５（ｂ）に示すような整流部材７とする場合は、仕切り壁１４側にいくほど、整流部材７の奥行き長さを長くする。
その他、整流部材７の流通孔７１の形成向きを壁面１５側に傾斜させる等して、吹出口４から壁面１５に向けて送風し、壁面１５でバウンドを生むように設定し空気の風向きを制御できるように設定してもよい。
以上によれば、廻り階段で構成された階段１の壁面１５側にたまろうとする塵等をたまりにくくすることができる。
【００２７】
なお、上述の実施形態に係る階段１、踏み板部２、蹴込み板部３、吹出口４、吸込口５、側壁部６、整流部材７、吸気経路８、連通空気経路９等の構成、形状は図例に限定されるものではなく、例えば階段１の段数も図例に限定されない。また階段１の構成も図示した直階段、廻り階段に限定されず、折返し階段、螺旋階段にも適用できる。さらに蹴込み板部３は、踏み板部２と踏み板部２との間に略垂直に設置され、図１等に示すような蹴込み部分がなくてもよい。そして踏み板部２の段鼻にスリップ止め部材等を設けてもよい。
【符号の説明】
【００２８】
１          （屋内用）階段
２          踏み板部
３          蹴込み板部
４          吹出口
６          側壁部
９          連通空気経路
【図１】
0005849225.tif 000002
【図２】
0005849225.tif 000003
【図３】
0005849225.tif 000004
【図４】
0005849225.tif 000005
【図５】
0005849225.tif 000006
【図６】
0005849225.tif 000007